(57)【要約】      （修正有）【課題】商品を陳列した状態の什器に対して着脱が容易かつ安全であり、耐荷重性に富んだ什器移動用キャスターを提供する。【解決手段】上端面部１１と下端面部１２とを有する平板状の本体部１と、本体部１を地面Ｇに対して持ち上げるように下端面部１２から突き出ているキャスター部２とを備え、本体部１は、一端から他端に渡って上端面部１１より低い直線状の凹溝部１３を有し、キャスター部２は、凹溝部１３の両脇に位置し、本体部１を貫通して上端面部１１から突き出るように取り付けられている。【選択図】図１
0003218553.tif 000002
【実用新案登録請求の範囲】
【請求項１】
上端面部と下端面部とを有する平板状の本体部と、
前記本体部を地面に対して持ち上げるように前記下端面部から突き出ているキャスター部とを備え、
前記本体部は、一端から他端に渡って前記上端面部より低い直線状の凹溝部を有し、
前記キャスター部は、前記凹溝部の両脇に位置し、前記本体部を貫通して前記上端面部から突き出るように取り付けられている
ことを特徴とする什器移動用キャスター。
【請求項２】
前記本体部が、１０〜３０ｍｍの厚みを有する鉄板である
ことを特徴とする請求項１に記載の什器移動用キャスター。
【請求項３】
前記下端面部と前記地面との距離が、５〜１０ｍｍである
ことを特徴とする請求項１又は２に記載の什器移動用キャスター。
【請求項４】
前記本体部が、平面視にて正方形状であり、
前記キャスター部が、前記本体部の各々の角部周辺に一輪ずつ取り付けられ、
前記本体部の一辺と前記キャスター部の車輪部の直径との比率は、１８．５：１〜９．５：１である
ことを特徴とする請求項１乃至３のいずれか一項に記載の什器移動用キャスター。
【請求項５】
前記上端面部及び前記凹溝部には、前記角部の頂点から前記本体部の各辺に沿って等距離の位置に、操作棒の先端の二股部に引っ掛けられる引っ掛け部が設けられている
ことを特徴とする請求項１乃至４のいずれか一項に記載の什器移動用キャスター。
【考案の詳細な説明】
【技術分野】
【０００１】
本考案は、例えばスーパーマーケットやドラッグストアーで採用されている商品陳列用の什器移動用キャスターに関し、さらに詳しくは、商品を陳列したまま什器を安全に移動する什器移動用キャスターに関するものである。
【背景技術】
【０００２】
従来から、スーパーマーケットやドラッグストアー等においては、配置のスペースを考慮して奥行きより横幅が長い什器に商品を陳列して販売していた。一般的な什器の仕様として、サイズが大きいほど耐荷重性を考慮して移動用のキャスターが備えられておらず、商品の陳列後に什器を移動することは稀であった。このため、什器を移動するには、移動前に什器から商品を撤去しなければならなかった。
【０００３】
一方、商品陳列用の什器に限らず、重量物の移動は容易でなく、たとえキャスターが付いていたとしても、手間がかかっていた。例えば、グランドピアノを移動する場合、外装に疵が付かないよう慎重に作業しなければならず、時間がかかっていた。そこで、グランドピアノの脚の各々を補助キャスターに載置して移動する技術が開示されている（例えば特許文献１参照。）。詳細には、補助キャスターは、裏面に４つのキャスターを設けた板状の台座と、台座の上にグランドピアノのキャスターが入る凹所を有する受け部とで構成されている。
【先行技術文献】
【特許文献】
【０００４】
【特許文献１】特開平９−３２５７６２号公報
【考案の概要】
【考案が解決しようとする課題】
【０００５】
しかしながら、上述した従来技術では、台座上の受け部の側壁を越えなければ、グランドピアノのキャスターを凹所に入れることはできなかった。さらに、台座の下端面にキャスターが直接取り付けられている。すなわち、従来技術の補助キャスターを用いるには、キャスター、台座及び受け部の合計の高さ以上にグランドピアノの足を持ち上げなくてはならず、危険であるばかりでなく、手間もかかってしまう。
【０００６】
商品陳列用の什器は、店内の内装を構成する大きな要素であり、来店者の購買意欲を向上させるには、商品の陳列のみならず、什器の配列も考慮すべきである。すなわち、売れ筋商品や季節限定商品等を店頭に陳列する周期が多いほど、商品の入れ替えには手間がかかるため、キャスター無しの大型什器であっても、柔軟かつ容易に配列を変更したいというニーズが高まってきている。
【０００７】
このようなニーズに鑑みると、従来技術を店舗の什器に採用するのは困難である。なぜなら、什器には商品が陳列されているため、必要以上に持ち上げたり傾けたりすると、商品の落下や什器の破損の恐れがあるからである。したがって、什器の移動用に適したキャスターとは、什器そのものを持ち上げる負担が極めて少ない上、陳列された商品を加えた什器全体の総重量に耐え得る強度が要求される。
【０００８】
そこで本考案の目的は、商品を陳列した状態の什器に対して着脱が容易かつ安全であり、耐荷重性に富んだ什器移動用キャスターを提供することにある。
【課題を解決するための手段】
【０００９】
上記課題を解決するために、本考案による什器移動用キャスターは、上端面部と下端面部とを有する平板状の本体部と、上記本体部を地面に対して持ち上げるように上記下端面部から突き出ているキャスター部とを備え、上記本体部は、一端から他端に渡って上記上端面部より低い直線状の凹溝部を有し、上記キャスター部は、上記凹溝部の両脇に位置し、上記本体部を貫通して上記上端面部から突き出るように取り付けられていることを特徴とする。
【００１０】
上記本体部が、１０〜３０ｍｍの厚みを有する鉄板であることが望ましい。
【００１１】
上記下端面部と上記地面との距離が、５〜１０ｍｍであることが望ましい。
【００１２】
上記本体部が、平面視にて正方形状であり、上記キャスター部が、上記本体部の各々の角部周辺に一輪ずつ取り付けられ、上記本体部の一辺と上記キャスター部の車輪部の直径との比率は、１８．５：１〜９．５：１であることが望ましい。
【００１３】
上記上端面部及び上記凹溝部には、上記角部の頂点から上記本体部の各辺に沿って等距離の位置に、操作棒の先端の二股部に引っ掛けられる引っ掛け部が設けられていることが望ましい。
【考案の効果】
【００１４】
本考案による什器移動用キャスターは、商品を陳列された什器の荷重に対する強度設計が容易であり、部品数を必要最低限に抑えることができるのみならず、作業性及び安全性の向上が期待できる。
【図面の簡単な説明】
【００１５】
【図１】本考案の一実施形態における什器移動用キャスターの（Ａ）平面図及び（Ｂ）正面図である。
【図２】本考案の一実施形態における什器移動用キャスターの使用時に用いられる操作棒の（Ａ）平面図及び（Ｂ）正面図である。
【考案を実施するための形態】
【００１６】
まず、図１及び図２を参照しつつ、本考案の一実施形態における什器移動用キャスター（以下、「本什器移動用キャスター」ともいう。）の概要を説明する。図１（Ｂ）は、キャスターの取付構造がわかるように描写している。これらの図において、複数個存在する同一の部位については、一つの部位のみに符番し、重複する部位については省略することがある。
本什器移動用キャスターは、例えば、スーパーマーケット、ドラッグストアー、ホームセンター、又はコンビニエスストア内で商品が陳列されている状態の什器を移動するためのものである。ここで、「什器」とは、例えば、商品陳列用のゴンドラや棚で、少なくとも自立用の足を備えているものが該当する。
【００１７】
本什器移動用キャスターは、上端面部１１と下端面部１２とを有する平板状の本体部１と、本体部１を地面Ｇに対して持ち上げるように下端面部１２から突き出ているキャスター部２とを備え、本体部１は、一端から他端に渡って上端面部１１より低い直線状の凹溝部１３を有し、キャスター部２は、凹溝部１３の両脇に位置し、本体部１を貫通して上端面部１１から突き出るように取り付けられている。
この構成によれば、本体部１が一枚の板状であることで、本体部１の剛性を維持しつつ凹溝部１３を容易に形成することができるため、商品が陳列された什器の重量に耐え得る強度設計がし易いのみならず、部品数が少ない分、製造コストも抑えることができる。さらに、キャスター部２が上端面部１１から突き出ているため、下端面部１２と地面Ｇとの距離を小さくすることができることから、什器の足を持ち上げる高さも低くすることができるため、作業性及び安全性の向上が期待できる。
【００１８】
本体部１が、１０〜３０ｍｍの厚みｄ１を有する鉄板であり、好ましくは１５〜２５ｍｍ、より好ましくは１８〜２２ｍｍである。
この構成によれば、厚みｄ１が１０ｍｍ未満だと薄過ぎて剛性や強度等の耐加重性が低下するため本体部１が破損する恐れがあり、３０ｍｍ超だと厚すぎて重量が嵩むため本体部１を操作しにくい恐れがあることから、最適な強度設計に伴う厚みとして期待できる。
【００１９】
下端面部１２と地面Ｇとの距離ｈが、５〜１０ｍｍであり、好ましくは６〜９ｍｍ、より好ましくは７〜８ｍｍであることが望ましい。
この構成によれば、距離ｈが５ｍｍ未満だと低すぎて地面Ｇ上に散乱する電気系統のケーブル等の障害物や地面Ｇの凹凸に本体部１が衝突する恐れがあり、１０ｍｍ超だと什器の足を高く上げなければならず載せにくいことから、最適な強度設計に伴う距離として期待できる。
【００２０】
本体部１が、平面視にて正方形状であり、キャスター部２が、本体部１の各々の角部１４周辺に一輪ずつ取り付けられ、本体部１の一辺の長さＬ１とキャスター部２の車輪部２１の直径Ｌ２との比率は１８．５：１〜９．５：１であることが望ましい。
この構成によれば、上記比率が１８．５：１より大きな差だと、キャスター部２が小さすぎて什器からの加重みならず本体部１の重さを支え切れない恐れがあり、上記比率が９．５：１より小さな差だと、キャスター部２が大きすぎて下端面部１１と地面Ｇとの距離ｈが１０ｍｍを超えてしまう恐れがあることから、最適な構造設計に伴う距離として期待できる。
【００２１】
上端面部１１及び凹溝部１３には、角部１４の頂点から本体部１の各辺に沿って等距離の位置に、操作棒４の先端の二股部４１に引っ掛けられる引っ掛け部３，３が設けられている。
この構成によれば、操作棒４の二股部４１が角部１４を挟むように引っ掛け部３，３に引っ掛かるため、作業者が什器移動用キャスターを自在に動かすことができると共に、什器の足と地面Ｇとの狭い隙間に対して什器移動用キャスターの出し入れを容易にすることができるため、作業の操作性及び安全性の向上が期待できる。
【００２２】
次に、図１及び図２を参照しつつ、本什器移動用キャスターの詳細を説明する。
【００２３】
図１（Ａ）に示すとおり、本体部１は、一辺の長さＬ１が１８５ｍｍ、厚さｄ１が２０ｍｍの正方形状の鉄板である。本体部１の略中心には、一端から他端に渡って縦断するように深さ１０ｍｍ，幅３２ｍｍの凹溝部１３が形成されている。換言すれば、凹溝部１３は、地面Ｇを基準にして上端面部１１より１０ｍｍ低く位置する。凹溝部１３の底面から下端面部１２までの距離ｄ２は１０ｍｍ、下端面部１２から地面Ｇまでの距離ｈは７．３ｍｍである。本体部１を四分割した各々の領域かつ角部１４周辺には、直径６０ｍｍの貫通孔（図示しない）が設けてある。引っ掛け部３は直径８ｍｍの穴で、各辺から中心までの距離は１５ｍｍである。
なお、本体部１は、平面視で円形状でも長方形状でもよい。凹溝部１３の深さと幅は、最大サイズの什器の足が挿入自在であれば、いずれでもよい。引っ掛け部３は、上端面部１１から下端面部１２まで貫通していてもよく、また、上端面部１１から上方にアーチ状に突出したフックでもよい。
【００２４】
図１（Ｂ）に示すとおり、キャスター部２は、車輪部２１と、車輪部２１に連結している取付金具部２２とを有する。キャスター部２は、本体部１の貫通孔に上端面部１１及び下端面部１２から突き出るように取り付けられている。詳細には、取付金具部２２が貫通孔の内周縁に嵌るように固定されており、カバー部２３が貫通孔を上端面部１１側から被うように本体部１にネジ部２４で固定されている。
なお、車輪部２１は、取付金具部２２に対して３６０°横回転可能であってもよい。
【００２５】
図２（Ａ）に示すとおり、操作棒４は、二股部４１と、二股部４１の後端にネジ止めしてある延長棒４２とを備えている。図２（Ｂ）に示すとおり、二股部４１は薄板状で、先端には突起部４１ａ，４１ｂがそれぞれネジ止めしてある。突起部４１ａ，４１ｂは、二股部４１に対して直交している。突起部４１ａは、突起部４１ｂより短い。延長棒４２の後端には、作業者に掴まれるグリップ部（符番しない）が設けてある。
なお、延長棒４２又は突起部４１ａ，４１ｂは、二股部４１に対して９０°以上傾いて設けられていても、角度が変化するように回動自在に設けられていてもよい。突起部４１ａは、４１ｂより長くてもよい。
【００２６】
図１及び図２に示すとおり、操作棒４の二股部４１の突起部４１ａ，４１ｂが本体部１の引っ掛け部３，３に引っ掛かった状態で、二股部４１は本体部１の角部１４を跨げる幅に設計されている。突出部４１ａは上端面部１１に設けてある引っ掛け部３に、突出部４１ｂは凹溝部１３に設けてある引っ掛け部３に、それぞれ引っ掛かる。
【００２７】
次に、図１及び図２を参照しつつ、本什器移動用キャスターの使用状況を説明する。
【００２８】
まず、商品が陳列されている什器の足の先端側を、本体部１の凹溝部１３の高さ（ｈ＋ｄ２）まで持ち上がる。次に、什器の足の先端側を本体部１の凹溝部１３に載せるため、足の先端が凹溝部１３の一端から突き出る状態までキャスター部２でスライドさせる。什器移動用キャスターの操作は、本体部１の引っ掛け部３，３に操作棒４の二股部４１の突起部４１ａ，４１ｂを引っ掛けて行う。什器の足の後端側も先端側と同等の手順で行うと共に、什器の足の本数に応じて同等の作業を行うと、什器が複数の什器移動用キャスターに載置された状態となる。什器の移動が完了したら、什器移動用キャスターを外して床に載置する。
【００２９】
このように、本什器移動用キャスターは、本体部１及びキャスター部２の構造上、凹溝部１３が地面Ｇに近接しているため、本体部１の一端から他端に渡って什器の足を挿入し易く、商品を陳列したまま移動することができる。さらに、本体部１が一枚の鉄板で構成されることにより、陳列中の商品を含む什器の総重量に耐え得る強度を有する什器移動用キャスターが実現する。これにより、商品が陳列されたまま柔軟に什器の配列を変更することができる。また、操作棒４により、什器の足と地面Ｇとの狭い隙間にも本什器移動用キャスターを容易に挿入することができるため、作業性及び安全性が向上する。
【産業上の利用可能性】
【００３０】
本考案における什器移動用キャスターは、小売業に限らず、例えば運送業における重量物の運搬、製造業における部品棚の移動等に関する産業に広く利用可能である。
【符号の説明】
【００３１】
１        本体部
１１      上端面部
１２      下端面部
１３      凹溝部
２        キャスター部
３        引っ掛け部
４        操作棒
Ｇ        地面
【図１】
0003218553.tif 000003
【図２】
0003218553.tif 000004
【手続補正書】
【提出日】平成30年8月21日(2018.8.21)
【手続補正１】
【補正対象書類名】実用新案登録請求の範囲
【補正対象項目名】請求項５
【補正方法】変更
【補正の内容】
【請求項５】
前記上端面部及び前記凹溝部には、前記角部の頂点から前記本体部の各辺に沿って等距離の位置に、操作棒の先端の二股部に引っ掛けられる引っ掛け部が設けられている
ことを特徴とする請求項４に記載の什器移動用キャスター。